(57)【特許請求の範囲】
【請求項１】
駆動手段を備え、上部に、押下されたときに前記駆動手段の動作を許すジューサ安全スイッチが設けられた本体と、
前記本体に着脱可能な区画容器と、
前記区画容器を閉塞する蓋体と、
前記区画容器および前記蓋体を覆う外装カバーとを有し、
前記区画容器または前記外装カバーは、前記ジューサ安全スイッチを押下する連動部材を上下移動可能に保持し、
前記蓋体と前記外装カバーとが協動して前記連動部材を押下することを特徴とするジューサ。
【請求項２】
前記連動部材は、上向きに付勢されていることを特徴とする請求項１に記載のジューサ。
【請求項３】
前記連動部材は、前記区画容器に保持され、
前記外装カバーは、前記蓋体を介して前記連動部材を押下することを特徴とする請求項１または２に記載のジューサ。
【請求項４】
前記外装カバーは、前記蓋体に当接して姿勢変化することにより前記連動部材を押下可能になる連動片を有することを特徴とする請求項１または２に記載のジューサ。
【請求項５】
前記本体に、前記区画容器に替えてミキサカップを装着可能であり、
前記本体は、前記区画容器には当接せず、前記ミキサカップに押下されるミキサ安全スイッチを有し、
前記駆動手段は、前記ジューサ安全スイッチおよび前記ミキサ安全スイッチの少なくともいずれかが押下されると運転可能になることを特徴とする請求項１から４のいずれかに記載のジューサ。
【請求項６】
前記本体は、前記外装カバーの前記蓋体に当接する位置と略対称位置を上向きに押し上げるように付勢された押上部材を有することを特徴とする請求項１から５のいずれかに記載のジューサ。
【請求項７】
前記区画容器は、前記本体にバヨネットで固定できることを特徴とする請求項１から６のいずれかに記載のジューサ。
【発明の詳細な説明】
【技術分野】
【０００１】
本発明は、ジューサに関する。
【背景技術】
【０００２】
カッタとともに回転する逆向き傘型のフィルタを有し、フィルタですり下ろした食材から液体を分離しつつ、遠心力によってフィルタを駆け上った固形分をフィルタ外周に配置した区画容器に回収するジューサが公知である。
【０００３】
このようなジューサは、固形分を回収するとともに、液体をジュース容器に導く区画容器と、区画容器を閉塞する透明の蓋体と、区画容器および蓋体を覆い、蓋体を透して内部を確認できるように開口が形成された外装カバーを装着して使用するようになっている。
【０００４】
このようなジューサでは、安全のために、区画容器、蓋体および外装カバーを、全て装着した状態でしかモータが回転しないようにすることが望まれる。
【０００５】
特許文献１および２に記載のジューサでは、装置本体に安全スイッチを設け、蓋体で封止した区画容器の上から外装カバーを取り付けることで、外装カバーが蓋体および区画容器を介して安全スイッチを押下するようにしている。しかしながら、このような構成では、区画容器を装置本体にしっかりと固定することができない。区画容器は正しい位置に装着されないとフィルタユニットに干渉するので、フィルタユニットをモータの出力軸にしっかりと接続することができず、モータを起動した際にフィルタユニットが外れたり、最悪の場合破損の原因となることがある。
【０００６】
区画容器を単独で装置本体に固定できるようにすると、区画容器、蓋体および外装カバーとをそれぞれ検出する安全スイッチを設けることが必要になり、構成が複雑になってコストが上昇する。
【０００７】
蓋体と外装カバーとを一体に形成したジューサも市販されているが、２種類の樹脂を２重成型するために、歩留まりの低下やコストの上昇が避けられない。
【特許文献１】特開２００４−３３７５１４号公報
【特許文献２】特開２００４−３３７５２４号公報
【発明の開示】
【発明が解決しようとする課題】
【０００８】
前記問題点に鑑みて、本発明は、区画容器を本体に固定でき、１つの安全スイッチで区画容器、蓋体および外装カバーがすべて装着されたことを確認できるジューサを提供することを課題とする。
【課題を解決するための手段】
【０００９】
前記課題を解決するために、本発明によるジューサは、駆動手段を備え、上部に、押下されたときに前記駆動手段の動作を許すジューサ安全スイッチが設けられた本体と、前記本体に着脱可能な区画容器と、前記区画容器を閉塞する蓋体と、前記区画容器および前記蓋体を覆う外装カバーとを有し、前記区画容器または前記外装カバーは、前記ジューサ安全スイッチを押下する連動部材を上下移動可能に保持し、前記蓋体と前記外装カバーとが協動して前記連動部材を押下するものとする。
【００１０】
この構成によれば、区画容器ではなく、連動部材でジューサ安全スイッチを押下するようになっているので、区画容器だけを本体に固定してもジューサ安全スイッチが押下されずジューサの起動を不能に保つことができ、区画容器の上部を蓋体で閉塞し、且つ、区画容器を覆うように外装カバーを装着したときだけ連動部材を介してジューサ安全スイッチを押下してジューサの起動が可能になる。
【００１１】
また、本発明のジューサにおいて、前記連動部材は、上向きに付勢されていてもよい。
【００１２】
この構成によれば、連動部材を保持する区画容器または外装カバーを本体に対して垂直に装着しない場合も、連動部材が誤ってジューサ安全スイッチを押下してしまうことがない。
【００１３】
また、本発明のジューサにおいて、前記連動部材は、前記区画容器に保持され、前記外装カバーは、前記蓋体を介して前記連動部材を押下してもよい。
【００１４】
この構成によれば、連動部材、蓋体および外装カバーの作用点を一直線上に配置できるので、構造が簡単であり、且つ、動作が確実である。
【００１５】
また、本発明のジューサにおいて、前記外装カバーは、前記蓋体に当接して姿勢変化することにより前記連動部材を押下可能になる連動片を有してもよい。
【００１６】
この構成によれば、蓋体がないときは、連動片が連動部材を押下しないのでジューサ安全スイッチを作動させない。
【００１７】
また、本発明のジューサにおいて、前記本体に、前記区画容器に替えてミキサカップを装着可能であり、前記本体は、前記区画容器には当接せず、前記ミキサカップに押下されるミキサ安全スイッチを有し、前記駆動手段は、前記ジューサ安全スイッチおよび前記ミキサ安全スイッチの少なくともいずれかが押下されると運転可能になってもよい。
【００１８】
この構成によれば、外装カバーを用いないミキサとして使用する際の安全確認ができる。
【００１９】
また、本発明のジューサにおいて、前記本体は、前記外装カバーの前記蓋体に当接する位置と略対称位置を上向きに押し上げるように付勢された押上部材を有してもよい。
【００２０】
この構成によれば、押上部材が、ジューサ安全スイッチの反力または連動部材の付勢力とバランスするように外装カバーを押し上げるので、外装カバーが傾いて取り外し難くなることがない。
【００２１】
また、本発明のジューサにおいて、前記区画容器は、前記本体にバヨネットで固定されてもよい。
【００２２】
この構成によれば、区画容器がガタつかず、フィルタとの干渉などの不具合がない。
【発明の効果】
【００２３】
連動部材を蓋体と外装カバーとが協動して押下するようにしたことで、区画容器を単独で本体に固定するようにしても、区画容器、蓋体および外装カバーが全て装着されたときだけジューサ安全スイッチが押下されるようにできるので、安全スイッチを多数設けなくても区画容器を正確に位置決めできるとともに安全確認を確実にすることができる。
【発明を実施するための最良の形態】
【００２４】
これより、本発明の実施形態について、図面を参照しながら説明する。
図１および図２に、本発明の第１実施形態であるジューサ１を示す。ジューサ１は、本体２の内部に駆動手段であるモータ３を備え、モータ３の出力軸に設けたカップリング４にフィルタユニット５を接続するようになっている。また、本体２には、区画容器６がバヨネット７で固定され、区画容器６の中に環状の仕切り板８を配置してから蓋体９で区画容器６を閉塞し、さらに、区画容器６および蓋体９の外側を外装カバー１０で覆い、外装カバー１０を本体２に係止機構１１で係止するようになっている。
【００２５】
フィルタユニット５は、水平円盤状で盤面に多数の切り歯が目立てされたカッタ１２と、カッタ１２の外周から斜め上方に延伸する逆円錐台型のフィルタ１３とを有している。蓋体９は、透明樹脂で形成されており、一端が外装カバー１０の外部に開口し、他端がフィルタユニット５の直上に開口する投入管１４を有する。投入管１４には、食材を押し込む押し込み部材１５が挿入される。外装カバー１０には、蓋体９を透して内部を確認するための確認窓１６が形成されている。
【００２６】
仕切り板８は、外周を部分的に上方に立ち上げた凸部１７が対称位置に２つ形成されており、区画容器６を蓋体９で閉塞すると、凸部１７が蓋体９に形成した押さえ突起１８に押圧されるので、区画容器６の中でガタつかないように保持される。
【００２７】
本体２の上部には、外周近傍にジューサ安全スイッチ１９と、モータ２の出力軸に対してジューサ安全スイッチ１９と対称位置に押上部材２０と、ジューサ安全スイッチ１９よりも内側にミキサ安全スイッチ２１とがそれぞれ突出して設けられている。
【００２８】
ジューサ安全スイッチ１９は、本体２表面に設けられたモータ３を起動する操作ボタン２２の動作を可能にする解除レバー２３の上に設けられている。解除レバー２３は、ロックばね２４により、ジューサ安全スイッチ１９を押し上げるように付勢されている。
【００２９】
区画容器６の側面一箇所には、垂直軸状の連動部材２５が上下移動可能に保持され、圧縮ばね２６で上向きに付勢されている。蓋体９には、連動部材２５の上端に当接する解除突起２７が形成され、解除突起２７の上方に形成した係合座２８に、外装カバー１０の内側に形成した押下リブ２９が当接するようになっている。
【００３０】
押上部材２０は、押上ばね３０によって上向きに付勢され、外装カバー１０の押下リブ２９の対称位置を持ち上げるように突出するようになっている。
【００３１】
さらに、図３に、ジューサ安全スイッチ１９を押下する安全機構を詳しく示し、その動作を説明する。本体２に区画容器６をバヨネット７で固定すると、ジューサ安全スイッチ１９の直上に連動部材２５が位置する。しかし、連動部材２５は、圧縮ばね２６で上向きに付勢されているので、区画容器６を本体２に装着しただけではジューサ安全スイッチ１９に当接しない。
【００３２】
蓋体９を区画容器６の上に載置すると、解除突起２７が連動部材２５の上端に当接する。しかし、蓋体９の重みだけでは、圧縮ばね２６およびロックばね２４の付勢力に抗してジューサ安全スイッチ１９を押下することはできない。
【００３３】
区画容器６および蓋体９を覆うように外装カバー１０を被せると、押下リブ２９が蓋体９の係合座２８に当接する。さらに、外装カバー１０を下向きに押圧し、係止機構１１により本体２に正しく装着すると、図４に示すように、押下リブ２９が解除突起２７を介してジューサ安全スイッチ１９が押下する。
【００３４】
ジューサ１では、蓋体９と外装カバー１０とが協動して連動部材２５を押下して、ジューサ安全スイッチ１９を作動させるので、区画容器６を本体２にガタつかないようにバヨネット７で固定するにもかかわらず、ジューサ安全スイッチ１９一つだけで、区画容器６、蓋体９および外装カバー１０の全てが適切に装着されているか否かを検出できる。
【００３５】
図５に、ジューサ安全スイッチ１９およびミキサ安全スイッチ２１により操作ボタン２２を操作不能にする機構を示す。本体２に区画容器６を取り付けたとき、ジューサ安全スイッチ１９の上部には連動部材２５が配置されるが、ミキサ安全スイッチ２１には、区画容器６およびその付属品が干渉しないようになっている。解除レバー２３は、軸３１で枢支されており、ジューサ安全スイッチ１９と反対側の端部が、操作ボタン２２を有するスイッチボックス３２のロック部材３３に接続されている。ロック部材３３は、２点鎖線で示すようにロックばね２４の付勢力によりスイッチボックス３２に押し込まれることで操作ボタン２２を押し込むことができないようにロックする。ジューサ安全スイッチ１９が押下されると、解除レバー２３が軸３１を中心に回動し、ロック部材３３を引き上げることで、操作ボタン２２を押し込んでモータ３を駆動できるようになる。
【００３６】
図６に示すように、解除レバー２３は、ミキサ安全スイッチ２１を押下することによっても、ロック部材３３を引き上げて操作ボタン２２を操作可能にする。ミキサ安全スイッチ２１は、本体２にミキサカップ３４を装着することで押下され、本体２内部に設けた第１操作ピン３５を押し下げる。第１操作ピン３５は、水平方向に摺動可能な横動部材３６の第１傾斜面３７を押しのけるように下降し、横動部材３６を図において左側に水平移動させる。横動部材３６は、第１傾斜面３７と反対方向に傾斜した第２傾斜面３８を有し、第２傾斜面３８には、上端が解除レバー２３のスイッチボックス３２側の下方に位置する第２操作ピン３９の下端が接している。第１操作ピン３５を押下して横動部材３６を左側に移動させると、第２傾斜面３８が第２操作ピン３９を押し上げて解除レバー２３を回動させることにより、ロック部材３３を引き上げる。
【００３７】
ミキサカップ３４を本体２から取り外すと、ロックばね２４が解除レバー２３を回動させて、ロック部材３３を押し込むことにより操作ボタン２２の操作を不能にするとともに、第２操作ピン３９を押下して横動部材３６を右側に移動させ、第１操作ピン３５を介してミキサ安全スイッチ２１を押し上げる。
【００３８】
このように、解除レバー２３は、ジューサ安全スイッチ１９およびミキサ安全スイッチ２１のいずれかが押下されるとロックばね２４の付勢力により回動して、操作ボタン２２によるモータ３の操作を可能にする。よって、スイッチボックス３２の構造を複雑化させることなく、区画容器６を装着するジューサとしての使用だけでなく、ミキサカップ３４を装着するミキサとしての使用にも適切な安全確認ができる。
【００３９】
ジューサ１において、外装カバー１０を取り外す際、係止機構１１を解除すると、圧縮ばね２６およびロックばね２４（主として圧縮ばね２６）の付勢力により、連動部材２５は、蓋体９を介して外装カバー１０の押下リブ２９を押し上げる。このとき、押上部材２０も、外装カバー１０の対称位置を仕上げるので、外装カバー１０が傾いて取り外しにくくなることがない。
【００４０】
さらに、図７に、本発明の第２実施形態のジューサにおけるジューサ安全スイッチ１９を押下する機構を示す。本実施形態は、以下に説明する以外の構成は、第１実施形態と同じであり、図および説明において同じ符号を付した構成要素は第１実施形態と同じ機能を有する。
【００４１】
本実施形態において、連動部材２５は、外装カバー１０の内側に保持されている。また、外装カバー１０は、回動軸４０に枢支された連動片４１を有する。連動片４１は、一端を蓋体９に形成した肩部４２に当接させることで、回動軸４０を中心に図面上時計回りに回動して、連動部材２５の上端を押下してジューサ安全スイッチ１９を作動させる。
【００４２】
本実施形態では、図８に示すように、連動片４１は、蓋体９がないと、圧縮ばね２６の付勢力によって反時計回りに回動させられ、ジューサ安全スイッチ１９を押下することができない。また、区画容器６を装着していない場合も同様である。
【００４３】
また、図９に示す本発明の第３実施形態のように、外装カバー１０に保持した連動片４１が、肩部４２に当接することにより姿勢変化して、区画容器６に保持した連動部材２５を押下するようにしてもよい。本実施形態の連動片は、回転ばね４３により、連動部材２５の上方から退避するように回転付勢されており、外装カバー１０を装着すると、図１０に示すように、蓋体９の肩部４２に当接して回動し、連動部材２５を押下することができ、区画容器６，蓋体９および外装カバー１０が、全て装着されたことを検知することができる。
【図面の簡単な説明】
【００４４】
【図１】本発明の第１実施形態のジューサの分解斜視図。
【図２】図１のジューサの断面図。
【図３】図１のジューサの外装カバーを完全に装着していないときの部分断面図。
【図４】図１のジューサの外装カバーを完全に装着したときの部分断面図。
【図５】図１のジューサの区画容器装着時の安全機構の概略図。
【図６】図１のジューサのミキサカップ装着時の安全機構の概略図。
【図７】本発明の第２実施形態のジューサの部分断面図。
【図８】図７のジューサの、蓋体がないときの部分断面図。
【図９】本発明の第３実施形態のジューサの部分断面図。
【図１０】図９のジューサの、蓋体がないときの部分断面図。
【符号の説明】
【００４５】
１  ジューサ
２  本体
３  モータ（駆動手段）
６  区画容器
７  バヨネット
９  蓋体
１０  外装カバー
１９  ジューサ安全スイッチ
２０  押上部材
２１  ミキサ安全スイッチ
２２  操作ボタン
２３  解除レバー
２４  ロックばね
２５  連動部材
２６  圧縮ばね
２７  解除突起
２８  係合座
２９  押下リブ
３０  押上ばね
４１  連動片
４２  肩部
【図１】
0004647543.tif 000002
【図２】
0004647543.tif 000003
【図３】
0004647543.tif 000004
【図４】
0004647543.tif 000005
【図５】
0004647543.tif 000006
【図６】
0004647543.tif 000007
【図７】
0004647543.tif 000008
【図８】
0004647543.tif 000009
【図９】
0004647543.tif 000010
【図１０】
0004647543.tif 000011